(57)【要約】【課題】  複雑な制御を要することなく、簡易な構成をもって複数の可動部材を相互に関連して駆動せしめ得る、新規な構造のパチンコ機を提供すること。【解決手段】  駆動機構８４によって駆動せしめられる主可動部材５８と、該主可動部材５８に隠されて視認不可能とされた隠蔽位置と視認可能な現出位置との間で変位可能に設けられた副可動部材１５０とによって可動部材を構成すると共に、該主可動部材５８の動きを該副可動部材１５０に伝達することによって該副可動部材１５０を該主可動部材５８と連動させて該隠蔽位置と該現出位置との間で移動せしめる駆動力伝達機構１３２，１４０を備えた。【選択図】  図３
2006334018.tif 000002
【特許請求の範囲】
【請求項１】
遊技領域に可動部材を備えたパチンコ機において、
駆動機構によって駆動せしめられる主可動部材と、該主可動部材に隠されて視認不可能とされた隠蔽位置と視認可能な現出位置との間で変位可能に設けられた副可動部材とによって前記可動部材を構成すると共に、該主可動部材の動きを該副可動部材に伝達することによって該副可動部材を該主可動部材と連動させて該隠蔽位置と該現出位置との間で移動せしめる駆動力伝達機構を備えたことを特徴とするパチンコ機。
【請求項２】
遊技盤に対して垂直に延びる取付軸を設けて該取付軸回りで傾動可能に前記主可動部材を組み付けると共に、該取付軸と平行に延びる連結軸を該主可動部材に設けて該連結軸回りで傾動可能に前記副可動部材を組み付けて、該副可動部材の該傾動方向一方の端位置を前記現出位置とすると共に、該副可動部材の該傾動方向他方の端位置を前記隠蔽位置とする一方、該副可動部材を該傾動方向他方に向けて常時付勢して該隠蔽位置に弾性的に保持せしめる付勢手段を設け、更に、該遊技盤において該取付軸と平行に延びる支承軸を設けて、該支承軸回りで揺動可能に伝動アームを組み付け、該伝動アームの該支承軸を挟んで位置する両側に第一係合部と第二係合部を形成して、該第一係合部には該主可動部材を係合せしめて該主可動部材の傾動運動を該伝動アームに伝達する一方、該第二係合部には該副可動部材を係合せしめて該伝動アームの揺動運動を該副可動部材に伝達せしめると共に、該伝動アームにおける該第一係合部と該第二係合部の少なくとも一方において、該副可動部材を該付勢手段による付勢力に抗して該現出位置に向けて傾動させる方向では係合して駆動力を伝達するが、それと反対に該副可動部材を該隠蔽位置に向けて傾動させる方向では係合状態を解放する一方向解放機構を設けて、前記駆動力伝達機構を構成した請求項１に記載のパチンコ機。
【発明の詳細な説明】
【技術分野】
【０００１】
本発明は、遊技領域に可動部材を備えたパチンコ機に関するものである。
【背景技術】
【０００２】
従来から、人形などの可動部材を遊技領域上で変位可能に配設すると共に、かかる可動部材を駆動機構によって駆動せしめることによって演出効果を高めるようにされたパチンコ機が知られている。例えば、特許文献１に記載のパチンコ機が、それである。
【０００３】
ところで、特許文献１に記載のパチンコ機のように、単に一つの可動部材を駆動せしめるのみでは、遊技者に対して与えるインパクトも小さく、演出効果には乏しいものであった。そこで、可動部材を複数設けることも考えられるが、単に可動部材が多く設けられるのみでは、演出効果を高めるには未だ不十分であった。
【０００４】
このような問題に対処するために、例えば特許文献２には、可動部材から人形等の別の可動部材を飛び出させるパチンコ機が開示されている。このようにすれば、普段は視認不可能とされた人形等を突然に現出せしめることによって、遊技者を驚かせて、優れた演出効果を発揮することが出来る。
【０００５】
ところが、特許文献２に記載の如きパチンコ機においては、一方の可動部材と他方の可動部材を駆動せしめるために、それら複数の可動部材のそれぞれに駆動機構が設けられていることから、大きな配設スペースが必要とされる。特に、特許文献２に示されているような図柄表示装置を有するパチンコ機においては、近年、より効果的な演出表示を行うために図柄表示装置が大型化される傾向にある。これに伴い、可動部材を駆動せしめる駆動機構等の配設スペースの確保がより困難となってきているのである。更に、部品点数の増加に伴う信頼性や耐久性の低下、およびコスト高や重量の増加等、多くの問題を内在するものである。
【０００６】
加えて、それら別個の駆動機構によって駆動せしめられる複数の可動部材を、相互に関連して駆動せしめるには、それぞれの駆動機構に設けられた制御回路への制御信号の送信タイミングや、電動モータへの通電タイミング等を高度に制御する必要が生じてしまうという問題がある。
【０００７】
【特許文献１】特開２００３−２３６０８６号公報
【特許文献２】特開２００１−１５７７５７号公報
【発明の開示】
【発明が解決しようとする課題】
【０００８】
ここにおいて、本発明は上述の如き事情を背景として為されたものであって、その解決課題とするところは、複雑な制御を要することなく、簡易な構成をもって複数の可動部材を相互に関連して駆動せしめ得る、新規な構造のパチンコ機を提供することにある。
【課題を解決するための手段】
【０００９】
以下、前述の如き課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面の記載、或いはそれらの記載から当業者が把握することの出来る発明思想に基づいて認識されるものであることが理解されるべきである。
【００１０】
（本発明の態様１）
すなわち、本発明の態様１は、遊技領域に可動部材を備えたパチンコ機において、駆動機構によって駆動せしめられる主可動部材と、該主可動部材に隠されて視認不可能とされた隠蔽位置と視認可能な現出位置との間で変位可能に設けられた副可動部材とによって前記可動部材を構成すると共に、該主可動部材の動きを該副可動部材に伝達することによって該副可動部材を該主可動部材と連動させて該隠蔽位置と該現出位置との間で移動せしめる駆動力伝達機構を備えたことを、特徴とする。
【００１１】
本態様に従う構造とされたパチンコ機においては、副可動部材を主可動部材に隠されて視認不可能とされた隠蔽位置から出現せしめることによって、遊技者に驚きを与えて、優れた演出効果を発揮することが出来る。更に本態様においては、副可動部材を隠蔽および現出せしめる主可動部材それ自体が可動物とされており、動くものから動くものが出現せしめられることによって、可動物により複雑な動きを与えて、より優れた演出効果を発揮することが可能とされているのである。
【００１２】
そして、特に本態様においては、主可動部材の動きを副可動部材に伝達して、副可動部材を隠蔽位置と現出位置との間で移動せしめる駆動力伝達機構を備えたことによって、主可動部材および副可動部材のそれぞれに駆動機構を設けることが不要とされて、主可動部材を駆動せしめる駆動機構の駆動力を巧く用いて副可動部材を駆動せしめることが可能とされている。これにより、主可動部材を駆動せしめる駆動機構によって主可動部材と副可動部材を同時に駆動せしめることが可能とされており、主可動部材および副可動部材の何れもが可動部材とされているような構造においても、機械的な制御によって互いの部材を相互に関連して駆動せしめることが出来る。それ故、複雑な電気的制御を行なうこともなく、これらの部材の動きを合わせた駆動を行なうことが可能となる。
【００１３】
さらに、部品点数を少なく抑えることが可能となることから、配設スペースを小さく抑えて、優れたスペース効率を得ることが出来る。これにより、近年、表示画面の大型化に伴って配設スペース確保の問題がより顕著に生じている図柄表示装置を備えたパチンコ機においても、本態様に従う構造によれば、複数の可動部材を駆動せしめる駆動機構を優れたスペース効率をもって配設することが可能とされて、設計自由度の向上も図られ得るのである。加えて、部品点数を少なく抑えることによって、重量の増加や信頼性の低下などの問題を有効に回避することも出来るのである。
【００１４】
なお、本態様における隠蔽位置は、副可動部材の主要な部位が視認不可能とされていれば良いのであって、必ずしも副可動部材の全体が視認不可能とされる必要はなく、例えば隠蔽位置において副可動部材の一部が視認可能とされていても良い。
【００１５】
また、主可動部材および副可動部材の個数は何等限定されることはなく、例えば一つの主可動部材に対して複数の副可動部材を設けることも可能であるし、そのような主可動部材を遊技領域に複数設けること等も可能である。
【００１６】
（本発明の態様２）
本発明の態様２は、前記態様１に係るパチンコ機において、遊技盤に対して垂直に延びる取付軸を設けて該取付軸回りで傾動可能に前記主可動部材を組み付けると共に、該取付軸と平行に延びる連結軸を該主可動部材に設けて該連結軸回りで傾動可能に前記副可動部材を組み付けて、該副可動部材の該傾動方向一方の端位置を前記現出位置とすると共に、該副可動部材の該傾動方向他方の端位置を前記隠蔽位置とする一方、該副可動部材を該傾動方向他方に向けて常時付勢して該隠蔽位置に弾性的に保持せしめる付勢手段を設け、更に、該遊技盤において該取付軸と平行に延びる支承軸を設けて、該支承軸回りで揺動可能に伝動アームを組み付け、該伝動アームの該支承軸を挟んで位置する両側に第一係合部と第二係合部を形成して、該第一係合部には該主可動部材を係合せしめて該主可動部材の傾動運動を該伝動アームに伝達する一方、該第二係合部には該副可動部材を係合せしめて該伝動アームの揺動運動を該副可動部材に伝達せしめると共に、該伝動アームにおける該第一係合部と該第二係合部の少なくとも一方において、該副可動部材を該付勢手段による付勢力に抗して該現出位置に向けて傾動させる方向では係合して駆動力を伝達するが、それと反対に該副可動部材を該隠蔽位置に向けて傾動させる方向では係合状態を解放する一方向解放機構を設けて、前記駆動力伝達機構を構成したことを、特徴とする。
【００１７】
本態様に従う構造とされたパチンコ機においては、一方向解放機構を設けたことによって、主可動部材が副可動部材を隠蔽位置に向けて傾動させる方向に傾動せしめられた場合には、第一乃至は第二係合部の係合状態が解除されるようになっている。これにより、第一乃至は第二係合部が係合状態に維持されることによって駆動力伝達機構の可動範囲が制限されて主可動部材の傾動量が制限されるようなことも回避されて、主可動部材をより大きく傾動せしめることが可能となって、より効果的な演出を行なうことが可能となるのである。
【００１８】
さらに本態様においては、付勢手段を設けたことによって、主可動部材が大きく傾動せしめられた場合でも、副可動部材を隠蔽位置に安定して位置せしめることが可能とされている。加えて、副可動部材を隠蔽位置に安定して位置せしめることによって、副可動部材のガタツキを抑えて、係合状態が解除された一方向解放機構を安定して係合状態に復帰せしめることも可能とされているのである。
【００１９】
なお、前記態様１又は２に係るパチンコ機においては、演出表示を行なう図柄表示装置を設けて、該図柄表示装置の表示画面において行なわれる演出表示の内容に合わせて前記副可動部材を前記隠蔽位置と前記現出位置との間で移動せしめるようにした態様も好適に採用され得る。このような態様によれば、遊技者が注視すると共にパチンコ機を特徴付ける部位でもある表示画面の周囲に主可動部材および副可動部材を設けて、表示画面に近い位置で副可動部材を現出せしめることによって、副可動部材の隠蔽と現出をより明確に遊技者に認識せしめることが可能になると共に、表示画面内で行なわれる演出表示による演出の効果と副可動部材の隠蔽および現出による演出の効果が相乗的に発揮されることによって、より優れた演出効果を発揮することが可能となる。
【発明の効果】
【００２０】
上述の説明から明らかなように、本発明に従う構造とされたパチンコ機においては、主可動部材の動きを副可動部材に伝達する駆動力伝達機構を備えたことによって、機械的な制御によってこれらの部材を連動させることが可能となり、複雑な電気的制御を行なうことも不要とされて、簡易な構成をもって複数の可動部材を相互に関連して駆動せしめることが出来る。更に、部品点数を少なく抑えることが可能となることから、部品点数の増加に伴うスペース効率の低下や重量の増加、信頼性の低下等の技術的な問題を解決しつつ、優れた演出効果を発揮することが可能となるのである。
【発明を実施するための最良の形態】
【００２１】
以下、本発明を更に具体的に明らかにするために、本発明の実施形態について、図面を参照しつつ、詳細に説明する。なお、以下の説明において、上下方向および左右方向とは、原則として、遊技者から見た上下方向および左右方向をいうものとし、表面および裏面についても、原則として、遊技者から見た表面および裏面をいうものとする。
【００２２】
図１には、本発明の第一の実施形態としてのパチンコ機１０が示されている。このパチンコ機１０は、縦長な方形状に枠組み形成された外枠１２を備えている。外枠１２には、その一側において開閉自在に軸支された状態で、パチンコ機１０の主要構成部の略全てが集約して設けられる中枠１４が組み付けられている。また、中枠１４の表側には、中枠１４に対して裏側から取り付けられた遊技盤１６を透視保護するためのガラス板を備えたガラス枠１８と、上皿２０を備えた皿板２２がそれぞれ中枠１４の一側に開閉自在に軸支された状態で組み付けられている。更にまた、上皿２０の下方には、下皿２４が設けられており、かかる下皿２４の右方には、発射ハンドル２６が突設されている。そして、遊技者が発射ハンドル２６に対して回動可能に装着された発射レバー２８を回動操作することにより、上皿２０に貯留された遊技球が球送り機構（図示せず）を介して発射装置（図示せず）に送られた後、遊技盤１６に形成された遊技領域３０に向けて発射されるようになっている。
【００２３】
遊技盤１６は、図２に示すように、表面に合成樹脂製のシートが被着された遊技板３２を備えており、かかる遊技板３２の表面側に固定されたガイドレール３４によって囲まれた略円形の遊技領域３０には、その略中央部分において、遊技板３２の裏面から組付けられた図柄表示装置としての液晶表示器３５の表示画面３６が配設されている。そして、かかる表示画面３６の下方において、始動入賞装置３８や特別可変入賞装置４０等の各種構造物が固定的に設けられている。なお、特に本実施形態においては、図柄表示装置として液晶表示器を用いているが、図柄表示装置としては、その他ＣＲＴやＬＥＤを用いた表示器や、ドラムユニットなどを用いること等も可能である。
【００２４】
このような遊技領域３０に向けて発射された遊技球は、遊技領域３０を流下せしめられる。そして、遊技球が始動入賞装置３８に入賞すると、液晶表示器３５の表示画面３６において複数の変動図柄（図示せず）の変動表示が開始され、それら複数の変動図柄の変動表示が所定時間行われる。その後、複数の変動図柄が特定の停止表示態様で停止表示された場合には、所謂大当たり遊技状態が発生し、通常の遊技状態では特別可変入賞装置４０の入口を塞いでいる扉４２が予め定められた作動条件に従って開閉作動せしめられるようになっている。これにより、特別可変入賞装置４０の入口が開放されて、特別可変入賞装置４０への遊技球の入賞が可能となり、その結果、遊技者は通常の遊技状態では得ることができない利益（賞球）を得ることが可能となる。このことから明らかなように、本実施形態では、パチンコ機１０は、所謂第１種パチンコ機とされている。
【００２５】
また、液晶表示器３５における表示画面３６の周囲には、表示画面３６を装飾するセンター飾り４４が配設されている。センター飾り４４は、図３に示す本体枠４６の開口端に一体的に形成されて外方に広がる取付板部４８に装飾枠５０が取り付けられた構造とされている。
【００２６】
装飾枠５０は、中央に表示画面３６よりもやや大きな開口寸法を有する貫通窓５２が貫設された略枠体形状とされており、かかる貫通窓５２の上方に位置せしめられる部位には、前方に突出して左右方向に延びる庇５４が形成されている。そして、装飾枠５０の遊技板３２への取付状態において、貫通窓５２を通して表示画面３６が視認可能にされていると共に、かかる表示画面３６の上方で左右方向に広がる庇５４によって、遊技領域３０を流下せしめられる遊技球が、液晶表示器３５の表示画面３６の上面を流下せしめられることのないようにされている。
【００２７】
また、本体枠４６は、図３に示すように、全体として略枠体形状とされており、遊技板３２に設けられた取付孔（図示せず）に挿通された状態で取付板部４８によって遊技板３２の表面側から取り付けられるようになっている。そして、本体枠４６の内側領域には貫通孔５６が貫設されており、かかる貫通孔５６に液晶表示器３５が嵌め入れられて収容されるようになっている。ここにおいて、貫通孔５６の大きさおよび形状は液晶表示器３５の表示画面３６の大きさおよび形状と対応しており、それによって、遊技盤１６（遊技板３２）の裏側に配設される液晶表示器３５の表示画面３６が貫通孔５６を通じて視認可能とされている。
【００２８】
そして、本体枠４６における取付板部４８の前面には、可動部材を構成する主可動部材としての主可動役物５８が設けられている。主可動役物５８は、貫通孔５６の上側に配設されて水平方向に延びる梁部材６０と、貫通孔５６の左右両側に配設されて鉛直方向に延びる一対の右側および左側柱部材６２，６４によって構成されており、梁部材６０の水平方向両端部に設けられた一対の右側および左側取付軸６６，６８に対して柱部材６２，６４それぞれの上側端部が揺動可能に取り付けられる一方、それら柱部材６２，６４の下側端部に設けられた右側および左側揺動軸７０，７２がそれぞれ取付板部４８に対して揺動可能に取り付けられている。これにより、主可動役物５８は貫通孔５６の左右両側と上方に位置して貫通孔５６を跨ぐように配設されて、かかる貫通孔５６に配設される液晶表示器３５の表示画面３６を跨ぐように配設される。なお、梁部材６０および柱部材６２，６４それぞれの内方端縁部は、僅かに貫通孔５６の内方に位置せしめられており、表示画面３６と僅かに重なり合うようにされている。そして、主可動役物５８は、柱部材６２，６４の揺動軸７０，７２を支点として柱部材６２，６４が揺動せしめられることによって水平方向に揺動可能とされている。
【００２９】
主可動役物５８を構成する梁部材６０は、貫通孔５６の左右方向幅寸法よりもやや大きな幅寸法を有する矩形状の前板部７３（図４参照）の上端縁部および左右両端縁部が後方に突出せしめられることによって、背面および下面が開口せしめられた略箱体形状とされている。なお、図４においては、後述する副可動役物１５０を取り除いた状態が図示されている。また、特に本実施形態においては、梁部材６０は透明な部材から形成されており、装飾用の印刷が施されたシールが前板部７３の前面に貼着されることによって、その内部が視認不可能とされるようになっている。更に、後に詳述する柱部材６２，６４も梁部材６０と同様に透明な部材から形成されており、前面に装飾用の印刷が施されたシールが貼着されるようになっているが、本明細書中の図面においては、それら梁部材６０および柱部材６２，６４にシールが貼着されていない状態を示す。
【００３０】
梁部材６０の左右方向両端部には、前板部７３の裏面から後方に突出する一対の取付軸６６、６８が形成されており、かかる取付軸６６，６８がそれぞれ右側柱部材６２および左側柱部材６４の上端部に形成された軸受部７４に挿通されて、後方から取付軸６６，６８よりもやや大きな径寸法を有するワッシャ７６がねじ止めされることによって、軸受部７４から抜け出し不可能且つ揺動可能に取り付けられている。
【００３１】
また、梁部材６０における前板部７３の裏面中央部分には、後方に突出する板状の軸部材７８が、前板部７３の裏面に対してビス止め等によって固定されている。かかる軸部材７８の後方端縁部には、上方に突出する伝達軸８０が一体的に形成されており、伝達軸８０が、後述するクランク機構８４を構成する揺動ロッド９０の挿通孔１１２に挿通せしめられて、左右方向への駆動力が及ぼされるようになっている。なお、梁部材６０が本体枠４６に配設された状態で軸部材７８が位置せしめられる取付板部４８上の部位には、梁部材６０の水平方向の揺動範囲よりもやや大きな左右方向寸法を有するロッド挿通孔８２が形成されており、揺動ロッド９０は、その先端部分がロッド挿通孔８２に挿通された状態で伝達軸８０と係合せしめられている。
【００３２】
図５に、伝達軸８０に駆動力を伝達する駆動機構としてのクランク機構８４を示す。クランク機構８４は、略板状の組付板部材８６に電動モータ８８や揺動ロッド９０が設けられて構成されており、かかる組付板部材８６が取付板部４８の背面にビス止めされることによって本体枠４６に取り付けられて、梁部材６０に左右方向の駆動力を及ぼすようにされている。
【００３３】
電動モータ８８は従来公知のＤＣモータであって、組付板部材８６において上方に突出せしめられた板部９２に取り付けられており、その出力軸が板部９２に貫設された貫通孔を通じて、板部９２の後方に突出せしめられるようになっている。また、本実施形態においては、電動モータ８８の出力軸は一定の回転速度で回転駆動されるようになっている。なお、電動モータ８８としては、ＤＣモータのみならず、例えばステッピングモータ等従来公知の各種のモータを採用することが可能である。
【００３４】
そして、電動モータ８８の出力軸に設けられた出力歯車９４が、板部９２の後側面に配設されたクランク円板９６の板部９２側の軸部に一体的に形成された伝達歯車９８に噛合せしめられている。
【００３５】
また、クランク円板９６の後側面には、後方に突出する係合軸１００が形成されており、かかる係合軸１００が、リンク部材１０２の一方の端部に連結されている。そして、リンク部材１０２の他方の端部が、ラック部材１０４に連結されている。
【００３６】
ラック部材１０４は、略矩形ブロック形状とされており、組付板部材８６に形成されたガイド部１０６に収容されて案内されることによって、水平左右方向に変位可能とされている。そして、かかるラック部材１０４にリンク部材１０２の端部が連結されることによって、クランク円板９６の回転運動がリンク部材１０２を介してラック部材１０４に伝達されて、ラック部材１０４が水平左右方向に揺動せしめられるようになっている。
【００３７】
そして、かかるラック部材１０４における取付板部４８側の側面には歯車１０８が形成されており、かかる歯車１０８が、揺動ロッド９０の後方端縁部に形成された後方歯車１１０に噛合せしめられている。
【００３８】
揺動ロッド９０は、前後方向に延びるロッド状の部材とされており、前方端部には、所定長さで前後方向に延びる挿通孔１１２が厚さ方向に貫設されている一方、後方端部が扇状に広げられて、かかる後方端縁部に後方歯車１１０が形成されている。そして、揺動ロッド９０の前後方向におけるやや後方寄りの部位が揺動中心軸１１４とされており、かかる揺動中心軸１１４が組付板部材８６に形成された図示しない取付部に揺動可能にビス止めされると共に、後方歯車１１０がラック部材１０４の歯車１０８と噛合せしめられることによって、揺動ロッド９０が揺動中心軸１１４を中心に揺動せしめられるようになっている。
【００３９】
このようなクランク機構８４は、組付板部材８６のビス止め板部１１６，１１６が取付板部４８の背面に形成されたボス部１１８，１１８に当接せしめられた状態でビス止めされることによって、取付板部４８の背面に固定されるようになっている。ここにおいて、揺動ロッド９０の先端部が、取付板部４８に貫設されたロッド挿通孔８２を通して取付板部４８の前方に突出せしめられると共に、揺動ロッド９０の挿通孔１１２に、梁部材６０に設けられた伝達軸８０が挿通せしめられるようになっている。これにより、梁部材６０に対して、左右方向の駆動力が及ぼされるようになっている。
【００４０】
また、梁部材６０の前板部７３における軸部材７８が取り付けられた左右両側には、前板部７３の裏面から後方に突出する一対の取付ボス１２０，１２０が一体的に形成されている。一方、取付板部４８におけるロッド挿通孔８２の左右両側には、梁部材６０の揺動範囲よりもやや大きな左右方向寸法を有すると共に中央部が僅かに上方に向かって湾曲せしめられた一対の案内溝１２２，１２２が貫設されている。そして、取付ボス１２０．１２０に対して取付板部４８の裏面から案内溝１２２，１２２の高さ寸法よりも大きな径寸法を有するワッシャ（図示せず）がビス止めされて、取付ボス１２０，１２０とワッシャによって取付板部４８が挟まれるようにされている。ここにおいて、取付ボス１２０，１２０およびワッシャの径寸法は何れも案内溝１２２の高さ方向幅寸法よりも大きくされており、これにより、梁部材６０は取付板部４８に対して抜け出し不能に支持されて、水平方向の揺動が案内溝１２２によって案内されると共に、その水平方向の最大変位量が制限されるようになっている。
【００４１】
このような構造とされた梁部材６０の左右両端部には、右側柱部材６２および左側柱部材６４が取り付けられている。これら右側および左側柱部材６２，６４は互いに左右が対称とされたもので略同一の構造を有していることから、以降の説明においては、右側柱部材６２を例に説明し、左側柱部材６４には同一の符号を付することにより、その説明を省略する。
【００４２】
柱部材６２は、貫通孔５６の高さ寸法よりもやや大きな高さ寸法を有する略矩形状の前板部１２４の周方向端縁部が後方に突出せしめられることによって、背面が開口せしめられた略箱体形状とされており、下端縁部の外側が曲面とされている。なお、前述のように、本実施形態においては柱部材６２は透明の部材から形成されており、前板部１２４の前面に印刷が施されたシールが貼着されることによって柱部材６２の内部が視認不可能とされているが、本明細書中の図面においては、シールが貼着されていない状態を示す。
【００４３】
そして、図４に示すように、柱部材６２の上端部には段差部１２６が形成されており、段差部１２６から上方が僅かに窪んだ形状とされている。そして、段差部１２６の上部に対して梁部材６０が前方から重ね合わされて、柱部材６２の上端部に形成された軸受部７４に梁部材６０の取付軸６６が挿通されることによって、梁部材６０と柱部材６２が揺動可能に取り付けられている。
【００４４】
一方、柱部材６２の下端部には、前板部１２４から後方に突出する揺動軸７０が一体的に形成されており、かかる揺動軸７０と、取付板部４８に貫設されて遊技板３２に対して垂直に延びるシャフト挿通孔１２８が位置合わせされて、取付板部４８の裏面からシャフト部材１３０がこれらシャフト挿通孔１２８および揺動軸７０に挿通されることによって、柱部材６２が本体枠４６に対して揺動軸７０回りで揺動可能に取り付けられている。このことから明らかなように、本実施形態においては、シャフト挿通孔１２８、シャフト部材１３０、および揺動軸７０（７２）を含んで取付軸が構成されている。
【００４５】
そして、かかる揺動軸７０には、係合軸部材１３２が固定的に取り付けられており、柱部材６２と一体的に、揺動軸７０を中心に揺動可能とされている。図６にも示すように、係合軸部材１３２は鉛直方向に延びる略板状の部材とされており、その下端部が揺動軸７０に外挿せしめられている。ここにおいて、揺動軸７０には下方に突出する突部１３４が形成されていると共に、係合軸部材１３２の下端部には切欠１３６が形成されており、かかる突部１３４と係合軸部材１３２の切欠１３６が嵌め合わされることによって係合軸部材１３２が位置決めされて、柱部材６２と一体的に揺動せしめられるようになっている。
【００４６】
一方、係合軸部材１３２の上端部には、水平方向外方に向かって開口する係合切欠１３８が形成されており、かかる係合切欠１３８には、伝動アームとしての連動軸部材１４０の下端部に形成された係合軸１４２が係合せしめられている。そして、これら係合切欠１３８および係合軸１４２を含んで、第一係合部が構成されている。
【００４７】
連動軸部材１４０は、鉛直方向に延びる略板状の部材とされており、長手方向中央部からやや下方における部位には、揺動中心孔１４４が貫設されている。かかる揺動中心孔１４４が、取付板部４８におけるシャフト挿通孔１２８の鉛直方向上方に離隔した位置で前方に向かって一体的に突出形成されて、シャフト挿通孔１２８と平行に延びる支承軸としての揺動中心軸１４６に外挿されることによって、連動軸部材１４０は揺動中心軸１４６を中心に揺動可能とされている。
【００４８】
また、連動軸部材１４０は、揺動中心孔１４４から上方の部位が僅かに外方に傾斜せしめられていると共に、かかる上端部には、前方に向かって突出する連動軸１４８が一体的に形成されている。そして、かかる連動軸１４８が、可動部材を構成する副可動部材としての副可動役物１５０に設けられた連動軸挿通孔１５２に挿通せしめられている。
【００４９】
副可動役物１５０は、上方に行くにつれて内方への突出量が段階的に大きくされると共に、正面視における内側端縁部が３段の曲面とされる一方、外側端縁部が平面を有する形状とされている。なお、本実施形態においては、副可動役物１５０も透明の部材から構成されており、装飾用の印刷が施されたシールが前面に貼着されるようになっている。
【００５０】
そして、副可動役物１５０の外側端縁部には、外方に突出せしめられた板状の連結用リブ１５４が一体的に形成されている。連結用リブ１５４には、副可動役物１５０の長手方向に延びる連動軸挿通孔１５２が貫設されており、かかる連動軸挿通孔１５２に、連動軸部材１４０の連動軸１４８が挿通されている。
【００５１】
これにより、本実施形態においては、係合軸部材１３２の係合切欠１３８および連動軸部材１４０の係合軸１４２を含んで第一係合部が構成されている一方、連動軸部材１４０の連動軸１４８および副可動役物１５０の連動軸挿通孔１５２を含んで第二係合部が構成されている。そして、連動軸部材１４０において、その揺動中心孔１４４を挟んで第一係合部と第二係合部は反対側に位置せしめられると共に、これら３つが略一直線状に位置せしめられている。また、連動軸部材１４０において、揺動中心孔１４４から第一係合部までの距離に比して、揺動中心孔１４４から第二係合部までの距離の方が大きくされている。更に、第二係合部は、副可動役物１５０の揺動中心とされる後述する揺動中心ボス部１５８から所定距離だけ離隔せしめられている。
【００５２】
また、副可動役物１５０の下端部の外方寄りの部位には、下方に向かって突出する板状の取付用リブ１５６が一体的に形成されており、かかる取付用リブ１５６には、取付孔が貫設されている。そして、柱部材６２の前板部１２４の裏面において後方に向かって突出形成された連結軸としての揺動中心ボス部１５８が取付孔に挿通されて、裏面からワッシャを介してビス止めされることによって、副可動役物１５０は、柱部材６２に対して揺動中心ボス部１５８を中心に揺動可能に取り付けられている。
【００５３】
ここにおいて、副可動役物１５０が配設される柱部材６２の内側壁面には内方に向かって開口する開口部１６０が形成されている。開口部１６０の上側部分は柱部材６２の内方に向かって下るように傾斜せしめられており、その内方端縁部には、下方に向かって屈曲せしめられた係止壁部１６２が形成されている。一方、開口部１６０の下側部分には、柱部材６２の水平方向内方に向かって屈曲せしめられた底壁部１６４が形成されている。
【００５４】
そして、かかる開口部１６０に副可動役物１５０が収容可能とされており、柱部材６２が鉛直方向に延びる定常位置に位置せしめられた状態において、副可動役物１５０が開口部１６０に収容されて、外部から視認不可能とされる。即ち、本実施形態においては、副可動役物１５０が柱部材６２の開口部１６０に収容された状態が、副可動役物１５０の傾動方向の一方の端位置とされて、隠蔽位置とされている。
【００５５】
なお、揺動中心ボス部１５８には、付勢手段としてのコイルスプリング１６６が挿通されており、かかるコイルスプリング１６６の一方の端部が底壁部１６４に当接せしめられると共に、他方の端部が副可動役物１５０の背面に突出形成された図示しない突出片に当接せしめられて圧縮状態で配設されている。これにより、副可動役物１５０を柱部材６２の内部に向かう方向に常時付勢して、副可動役物１５０を隠蔽位置に弾性的に保持せしめるようになっている。
【００５６】
このような構造とされた主可動役物５８は、梁部材６０に対してクランク機構８４による左右方向への駆動力が及ぼされると共に、取付板部４８に形成された案内溝１２２による案内作用によって、梁部材６０が左右方向に揺動せしめられるようになっており、かかる梁部材６０の左右への揺動に伴って、左右の柱部材６２，６４が左右方向に揺動せしめられるようになっている。なお、梁部材６０は、左右方向に揺動せしめられる際には、揺動軸７０，７２を中心として揺動せしめられることとなる取付軸６６，６８の動きにあわせて、定常位置から左右両端位置に向かうにつれて僅かに下方に変位せしめられるように揺動せしめられる。
【００５７】
ここにおいて、梁部材６０が右方向に変位せしめられた場合には、図７に示すように、右側柱部材６２が右側揺動軸７０を中心に時計回り方向に回動せしめられる。そして、右側柱部材６２の回動に合わせて、係合軸部材１３２が右側揺動軸７０を中心に時計回り方向に回動せしめられることによって、係合切欠１３８に係合せしめられた連動軸部材１４０の係合軸１４２が揺動中心軸１４６を中心に反時計回り方向に回動せしめられる。かかる係合軸１４２の回動に伴って、揺動中心軸１４６を挟んで係合軸１４２の反対側に設けられた連動軸１４８が反時計回り方向に回動せしめられて下方に下げられることによって、副可動役物１５０は、コイルスプリング１６６の付勢力に抗して、揺動中心ボス部１５８を中心に反時計回り方向に回動せしめられる。これにより、副可動役物１５０は右側柱部材６２の動きと反対方向に変位せしめられて、右側柱部材６２の開口部１６０から露出されることとなる。そして、連動軸１４８が連動軸挿通孔１５２の下端縁部に係止された状態が副可動役物１５０の傾動方向のもう一方の端位置とされて、かかる位置が副可動役物１５０が視認可能とされた現出位置とされている。
【００５８】
一方、梁部材６０が右方向に変位せしめられた後に図６に示す定常位置に復帰せしめられる際には、右側柱部材６２が右側揺動軸７０を中心に反時計回り方向に回動せしめられる。ここにおいて、副可動役物１５０にはコイルスプリング１６６によって、右側柱部材６２の内方へ向かう付勢力が及ぼされていることから、副可動部材１５０は、揺動中心ボス部１５８を中心に時計回り方向に回動せしめられる。そして、係合軸部材１３２が右側柱部材６２の回動に合わせて反時計回り方向に回動せしめられることから、連動軸部材１４０の時計回り方向の回動が許容されて、副可動部材１５０が右側柱部材６２の開口部１６０に収容されるようになっている。
【００５９】
さらに、梁部材６０が定常位置から更に左方向に変位せしめられた場合には、図８に示すように、右側柱部材６２が反時計回り方向に回動せしめられる。ここにおいて、副可動役物１５０にはコイルスプリング１６６による付勢力が及ぼされていることによって、副可動役物１５０の右側柱部材６２への収容状態が維持されており、右側柱部材６２と略一体的に反時計回り方向に回動せしめられる。そして、特に本実施形態においては、係合軸部材１３２と連動軸部材１４０は係合切欠１３８と係合軸１４２との係合によって連結せしめられていることから、係合軸部材１３２が反時計回り方向に大きく回動せしめられた際には、連動軸部材１４０の反時計回り方向の回動に伴って、これら係合切欠１３８と係合軸１４２との係合状態が解除される。これにより、副可動役物１５０の傾動に伴って連動軸部材１４０の反時計回りの回動が許容されており、右側柱部材６２をより大きく傾動せしめることが可能とされているのである。このことから明らかなように、本実施形態においては、係合切欠１３８と係合軸１４２によって、一方向解放機構が構成されている。
【００６０】
そして、梁部材６０が左方向に変位せしめられた後に図６に示す定常位置に復帰せしめられる際には、右側柱部材６２が右側揺動軸７０を中心に時計回り方向に回動せしめられる。ここにおいて、副可動役物１５０はコイルスプリング１６６の付勢力によって右側柱部材６２への収容状態に維持されており、右側柱部材６２と略一体的に時計回り方向に回動せしめられる。かかる副可動役物１５０の回動に伴って、連動軸部材１４０が時計回り方向に回動せしめられることによって、連動軸部材１４０の係合軸１４２と係合軸部材１３２の係合切欠１３８とが係合せしめられることとなる。
【００６１】
なお、左柱部材６４は、上述の如き右側柱部材６２の動きと反対の動きをすることとなる。従って、本態様における主可動役物５８においては、梁部材６０の左右方向の揺動に伴って、左右側柱部材６２，６４に収容された副可動部材１５０、１５０が交互に現出せしめられることとなる。
【００６２】
以上のように、本実施形態に従う構造とされたパチンコ機１０においては、連動軸部材１４０の係合軸１４２に係合軸部材１３２の係合切欠１３８が係合せしめられて、主可動役物５８の傾動運動が連動軸部材１４０に伝達される一方、連動軸部材１４０の連動軸１４８に副可動役物１５０の連動軸挿通孔１５２が係合せしめられることによって、連動軸部材１４０の揺動運動が副可動役物１５０に伝達せしめられるようになっている。これにより、主可動役物５８に及ぼされる揺動変位力が副可動役物１５０に伝達されて、副可動役物１５０が隠蔽位置と現出位置との間で移動せしめられるようになっており、これら係合軸部材１３２および連動軸挿通孔１５２を含んで、伝動アームとしての連動軸部材１４０を介しての主可動役物５８から副可動役物１５０への伝動機構が構成されている。また、特に本実施形態においては、係合切欠１３８および係合軸１４２を含んで一方向解放機構が構成されていると共に、コイルスプリング１６６によって付勢手段が構成されている。そして、これら係合軸部材１３２、連動軸部材１４０、連動軸挿通孔１５２、係合切欠１３８、係合軸１４２、およびコイルスプリング１６６を含んで、駆動力伝達機構が構成されているのである。
【００６３】
このような構造とされたパチンコ機１０においては、主可動役物５８が定常位置に位置せしめられた状態では視認不可能とされている副可動役物１５０が、主可動役物５８が揺動変位せしめられるに伴って現出せしめられる。これにより、遊技者に驚きを与えて、効果的な演出を行なうことが可能となる。更に、副可動役物１５０を隠蔽および現出せしめる主可動役物５８自体が可動部材とされていることによって、可動する部材から更に可動する部材が現出せしめられるという複雑な動きを行なうようにされており、より優れた演出効果を発揮することが出来るのである。
【００６４】
そして、本実施形態に従う構造とされたパチンコ機１０においては、主可動役物５８の揺動変位力を副可動部材１５０に伝達する係合軸部材１３２および連動軸部材１４０を設けたことによって、副可動部材１５０を駆動せしめるために電動モータ等の機構を別途に設けることが不要とされている。これにより、例えば本実施形態においては、クランク機構８４のみを設けることによって主可動役物５８および副可動役物１５０を同時に駆動せしめることが可能とされており、優れたスペース効率を得ることが出来ると共に、部品点数を少なく抑えることが可能とされることから、重量の軽減および信頼性の向上も図られ得るのである。更に、クランク機構８４のみによって主可動役物５８および副可動役物１５０を駆動せしめることが可能とされていることから、本実施形態のように主可動部材５８の動きに合わせて副可動部材１５０を駆動せしめるような構造においても、複雑な制御を行なうことなく、互いの部材の動きを合わせた駆動を行なうことが可能となるのである。
【００６５】
さらに、特に本実施形態においては、係合切欠１３８を設けたことによって、左右柱部材６２、６４が副可動役物１５０を隠蔽位置に向けて傾動させる方向では係合軸部材１３２と連動軸部材１４０との係合状態が解除されるようになっており、駆動力伝達機構が左右柱部材６２，６４の傾動を阻害するようなことも回避されて、左右柱部材６２，６４をより大きく傾動せしめることも可能とされている。加えて、特に本実施形態においては、副可動役物１５０を左右側柱部材６２，６４の内方に向けて付勢するコイルスプリング１６６を設けたことによって、そのように左右側柱部材６２，６４が開口部１６０の位置する側に大きく傾動せしめられた場合にも、副可動役物１５０が自重によって開口部１６０から露出するようなことも防ぐことが可能とされていると共に、左右側柱部材６２，６４が定常位置に復帰せしめられる際には、副可動役物１５０のガタツキを抑えて、副可動役物１５０を隠蔽位置に安定して位置せしめることによって、連動軸部材１４０を安定して回動せしめて、係合切欠１３８との係合状態に安定して復帰せしめることも可能とされているのである。
【００６６】
なお、駆動力伝達機構の具体的な態様としては、前述の第一の実施形態の如き構造に限定されるものではなく、例えば以下に示す第二の実施形態の如き構造を採用することも可能である。図９乃至図１１に、本発明の第二の実施形態としての本体枠１８０と、可動部材を構成する主可動部材としての主可動役物１８２、および可動部材を構成する副可動部材としての副可動役物１８４を示す。なお、図１１は、本体枠１８０を取り除いた状態を示す。
【００６７】
本体枠１８０は中央に液晶表示器の表示画面よりもやや大きな開口寸法を有する貫通孔１８６が貫設されている。そして、本体枠１８０の前面には、外方に広がる板状の取付板部１８８が形成されていると共に、かかる取付板部１８８の上側部分および左右両端縁部がやや前方に突出せしめられていることによって、取付板部１８８の中央部分には凹部１９０が形成されている。また、凹部１９０の上方には上側突出部１９２が形成されている。更に、かかる上側突出部１９２の下端部における略中央部には、水平左右方向に所定の幅寸法をもって延びる一対の案内溝１９４，１９４が形成されている。
【００６８】
そして、かかる取付板部１８８の凹部１９０に、主可動役物１８２が配設されている。主可動役物１８２は、貫通孔１８６の上側に配設されて水平左右方向に延びる梁部材１９６と、貫通孔１８６の左右両側に配設されて鉛直方向に延びる一対の右側および左側柱部材１９８，２００によって構成されており、梁部材１９６の裏面における水平方向両端部に設けられた一対の右側および左側取付軸２０２．２０４に対して柱部材１９８，２００それぞれの上側端部が揺動可能に取り付けられる一方、それら柱部材１９８，２００の下側端部に設けられた揺動軸部２０６，２０８がそれぞれ本体枠１８０に設けられた揺動軸２１０，２１２に対して揺動可能に取り付けられている。これにより、主可動役物１８２は貫通孔１８６の左右両側と上方に位置して貫通孔１８６を跨ぐように配設されて、かかる貫通孔１８６に配設される液晶表示器の表示画面を跨ぐように配設される。なお、梁部材１９６および柱部材１９８、２００それぞれの内方端縁部は、僅かに貫通孔１８６の内方に位置せしめられており、液晶表示器の表示画面と僅かに重なり合うようにされている。また、本実施形態においては、主可動役物１８２の前後方向の厚さ寸法は凹部１９０の奥行寸法よりも大きくされており、主可動役物１８２の前面が上側突出部１９２の前方にやや突出した状態で配設されている。そして、主可動役物１８２は、本体枠１８０の揺動軸２１０，２１２を支点として柱部材１９８，２００が揺動せしめられることによって水平方向に揺動可能とされている。
【００６９】
梁部材１９６は、貫通孔１８６の左右方向幅寸法よりもやや大きな幅寸法を有する矩形状部２１４と、矩形状部２１４の上側中央部分が山形に突出せしめられた山形突出部２１６から構成されており、背面に開口する略箱体形状とされている。なお、特に本実施形態においては、梁部材１９６は透明な部材から形成されており、装飾用の印刷が施されたシールが矩形状部２１４の前面に貼着されることによって、その内部が視認不可能とされるようになっている。
【００７０】
また、矩形状部２１４の左右方向両端部には、裏面に向かって突出する一対の取付軸２０２，２０４が形成されており、かかる取付軸２０２，２０４がそれぞれ右側柱部材１９８および左側柱部材２００の上端部に形成された軸受部２１８に挿通されることによって、梁部材１９６が柱部材１９８，２００に対して揺動可能とされている。なお、取付軸２０２，２０４の突出先端面は、梁部材１９６の本体枠１８０への組み付け状態において、取付板部１８８に当接せしめられるようになっており、これにより、柱部材１９８，２００の軸受部２１８への挿通状態が維持されるようになっている。また、矩形状部２１４の周上の端縁部から後方に突出する周壁において、取付軸２０２，２０４が形成された下方の部位は、柱部材１９８，２００の左右方向幅寸法よりもやや大きな寸法をもって開口せしめられており、柱部材１９８，２００と梁部材１９６との相対変位が阻害されないようになっている。
【００７１】
一方、山形突出部２１６の中央部分には、上下方向に延びる挿通孔２２０が貫設されている。また、取付板部１８８における山形突出部２１６が配設される部位には、クランク円板２２２が設けられており、かかるクランク円板２２２に設けられて前方に突出するクランク軸２２４がかかる挿通孔２２０に挿通せしめられている。
【００７２】
また、取付板部１８８におけるクランク円板２２２が配設された部位の背面には、電動モータ２２６が取り付けられている。そして、図面からは必ずしも明らかではないが、電動モータ２２６の出力軸は取付板部１８８に貫設された貫通孔を通じて取付板部１８８の前方に突出せしめられており、かかる出力軸には出力歯車が設けられている。そして、かかる出力歯車がクランク円板２２２の後方の軸部に形成された伝達歯車と噛合せしめられることによって、電動モータ２２６によってクランク円板２２２が一定の回転速度で回転駆動せしめられるようになっている。即ち、本実施形態においては、電動モータ２２６およびクランク円板２２２を含んで、主可動役物１８２を駆動せしめる駆動機構が構成されている。なお、電動モータ２２６は従来公知のＤＣモータであるが、例えばステッピングモータ等従来公知の各種のモータを採用することが可能である。
【００７３】
さらに、山形突出部２１６における下部の端縁部には、後方に突出する一対の案内突部２２０，２２０が一体的に形成されており、主可動役物１８２の本体枠１８０への組付け状態において、かかる案内突部２２０．２２０が、本体枠１８０に形成された案内溝１９４，１９４に差し込まれるようになっている。これにより、梁部材１９６が左右方向に案内されると共に、左右方向の最大変位量が制限されるようになっている。
【００７４】
このような構造とされた梁部材１９６の左右方向両端部には、右側柱部材１９８および左側柱部材２００が取り付けられている。
【００７５】
右側柱部材１９８は、貫通孔１８６の高さ寸法よりもやや大きな高さ寸法を有する略矩形状の前板部２２８の周方向端縁部が後方に突出せしめられることによって、背面が開口せしめられた略箱体形状とされている。なお、本実施形態においては右側柱部材１９８は透明の部材から形成されており、前板部２２８の前面に印刷が施されたシールが貼着されることによって右側柱部材１９８の内部が視認不可能とされている。
【００７６】
そして、右側柱部材１９８の上端部には、軸受部２１８が一体的に形成されており、かかる軸受部２１８に対して梁部材１９６の取付軸２０２が挿通されることによって、梁部材１９６と右側柱部材１９８が揺動可能に取り付けられている。
【００７７】
一方、右側柱部材１９８の下端部には、下方に突出する揺動軸部２０６が一体的に形成されており、かかる揺動軸部２０６に対して、本体枠１８０に形成されて前方に突出する揺動軸２１０が挿通されることによって、右側柱部材１９８が本体枠１８０に対して揺動可能に取り付けられている。
【００７８】
そして、右側柱部材１９８の中央部からやや上方の部位には、後方に突出する連動軸２３０が一体的に形成されており、かかる連動軸２３０に対して、副可動役物１８４の上端部に所定の長さ寸法をもって形成された連動軸挿通孔２３２が外挿されている。
【００７９】
副可動役物１８４は、鉛直方向に延びる薄板の略棒形状とされており、その長手方向中央部分には、揺動中心孔２３４が貫設されている。そして、かかる揺動中心孔２３４が、本体枠１８０に形成されて前方に突出する揺動中心軸２３６に外挿せしめられることによって、副可動役物１８４が、揺動中心孔２３４を中心に揺動可能とされている。
【００８０】
また、副可動役物１８４は、揺動中心孔２３４を挟んで連動軸挿通孔２３２と反対側の部位が、先端に行くに従って細くなる先細形状とされている。具体的には、内側の端縁部は、揺動中心孔２３４から下方に行くにつれて外方へ傾斜する内側傾斜縁部２３８が形成されている一方、外側の端縁部は、揺動中心孔２３４から鉛直下方に延び出した後に、下方に行くにつれて内方へ傾斜する外側傾斜縁部２４０が形成されている。
【００８１】
そして、内側傾斜縁部２３８の先端部分には、内側傾斜縁部２３８から立ち上がるように主可動役物１８２の内方に向かって突出する突出部２４２が形成されており、突出部２４２の突出先端縁部は、３つの半円が高さ方向に並んだ形状とされている。なお、副可動役物１８４は透明の部材から構成されており、突出部２４２の前面には、装飾用の印刷が施されたシールが貼着されるようになっている。
【００８２】
また、右側柱部材１９８の内方端縁部に形成されて、後方に突出せしめられた周壁部における突出部２４２が位置する部位には、突出部２４２の高さ寸法よりも僅かに大きな高さ寸法を有する開口部２４４が形成されている。
【００８３】
一方、左側柱部材２００は、右側柱部材１９８の左右が反対とされた略同様の構造とされており、右側柱部材１９８における連動軸２３０が設けられることなく、副可動役物１８４が備えられていないものである。即ち、本実施形態における主可動役物１８２には、右側柱部材１９８のみに副可動役物１８４が設けられている。
【００８４】
また、主可動役物１８２の下方には、貫通孔１８６の左右方向寸法よりもやや大きな幅寸法を有する略矩形状のカバー部材２４６が配設されている。かかるカバー部材２４６は、右側柱部材１９８および左側柱部材２００の下端部に重ね合わされて本体枠１８０の取付板部１８８に組み付けられるようになっている。
【００８５】
このような構造とされた主可動役物１８２は、図９乃至図１１に示すように、梁部材１９６が本体枠１８０の水平左右方向中央部分に位置せしめられた状態が定常位置とされており、かかる定常位置において、右側柱部材１９８および左側柱部材２００は、鉛直方向に延びる向きに位置せしめられている。
【００８６】
ここにおいて、図１１に示すように、副可動役物１８４の突出部２４２は右側柱部材１９８の内部に収容されて、突出部２４２が外部から視認不可能とされており、かかる位置が副可動役物１８４の隠蔽位置とされている。なお、以下の説明における左右方向および時計回り方向は、図１１における左右方向および時計回り方向を言うものとする。
【００８７】
そして、梁部材１９６に対して電動モータ２２６による駆動力が及ぼされて、梁部材１９６が左方向へ変位せしめられた場合には、右側柱部材１９８が揺動軸部２０６を中心に反時計回り方向に回動せしめられる。そして、右側柱部材１９８の回動に合わせて、連動軸２３０が反時計回り方向に変位せしめられる。これにより、副可動役物１８４は、揺動中心孔２３４を中心として反時計回り方向に回動せしめられて、副可動役物１８４の下側端部に設けられた突出部２４２が右側柱部材１９８の開口部２４４から突出せしめられるのである。これにより、突出部２４２が視認可能とされて、かかる位置が現出位置とされている。ここにおいて、特に本実施形態においては、副可動役物１８４における下端部の内側端縁部には、下方に行くにつれて外方へ傾斜する内側傾斜縁部２３８が形成されていることから、副可動役物１８４の内側端縁部が右柱部材１９８の周壁に当接して回動が阻害されるようなことも回避されており、右柱部材１９８をより大きく回動せしめることが可能とされている。
【００８８】
一方、梁部材１９６が左方向に変位せしめられた後に図１１に示す定常位置に復帰せしめられる際には、右側柱部材１９８の連動軸２３０が時計回り方向に変位せしめられることによって、副可動部材１８４が揺動中心孔２３４を中心に時計回り方向に回動せしめられる。これにより、突出部２４２が右側柱部材１９８に収容されて、外部から視認不可能とされた隠蔽位置に位置せしめられる。
【００８９】
そして、梁部材１９６が定常位置から更に右方向に変位せしめられた際には、右側柱部材１９８の連動軸２３０が時計回り方向に変位せしめられることによって、副可動部材１８４は揺動中心軸２３４を中心に時計回り方向に更に回動せしめられる。これにより、突出部２４２は、右側柱部材１９８の内部で外側に向かう方向に変位せしめられて、視認不可能な状態が維持される。ここにおいて、特に本実施形態においては、副可動役物１８４における下端部の外側端縁部には、下方に行くにつれて内方へ傾斜する外側傾斜縁部２４０が形成されていることから、副可動役物１８４の外側端縁部が右側柱部材１９８の周壁に当接して回動が阻害されるようなことも回避されており、右側柱部材１９８に隠蔽された状態での副可動役物１８４の回動量をより大きく確保することによって、右側柱部材１９８をより大きく傾動せしめることも可能とされているのである。
【００９０】
また、梁部材１９６が右方向に変位せしめられた後に定常位置に復帰せしめられる際には、右側柱部材１９８の連動軸２３０が反時計回り方向に変位せしめられて、副可動部材１８４が揺動中心孔２３４を中心に反時計回り方向に回動せしめられることとなるが、定常位置では突出部２４２は未だ右側柱部材１９８の内部に位置せしめられて、視認不可能とされている。即ち、梁部材１９６が定常位置よりも左側に変位せしめられない限り、突出部２４２が開口部２４４から露出せしめられることはないようにされている。
【００９１】
以上のように、本実施形態においては、右側柱部材１９８に設けられた連動軸２３０と、副可動役物１８４に一体的に形成された連動軸挿通孔２３２を含んで駆動力伝達機構が構成されており、より簡易な構成をもって主可動役物１８２の揺動力変位を副可動役物１８４に伝達することが可能とされているのである。
【００９２】
なお、上述の第一および第二の実施形態における主可動役物５８，１８２は、電動モータ８８、２２６を常に駆動せしめることによって、副可動役物１５０，１８４を常に隠蔽位置と現出位置の間で移動せしめても良いが、液晶表示器において行なわれる演出表示の内容に合わせて、所定のタイミングで副可動役物１５０，１８４を現出せしめることなども可能である。なお、以下の説明においては、第一の実施形態における主可動役物５８を例に説明するが、第二の実施形態における主可動役物１８２についても、同様の構造を採用することが可能である。
【００９３】
図１２に、このような作動制御を行なうパチンコ機の主制御回路２５０の構成を示す。主制御回路２５０には、主制御回路２５０の全体を制御する主制御ＣＰＵ２５２と、制御プログラムや各種制御処理に必要なデータ等が記憶された主制御ＲＯＭ２５４と、各種処理データ等を記憶する主制御ＲＡＭ２５６と、入力回路２５８と、出力回路２６０が設けられており、これらはバスにより相互に接続されている。また、主制御ＣＰＵ２５２には、クロック信号を出力するクロック回路２６２が接続されている。
【００９４】
さらに、入力回路２５８には、始動入賞装置３８に設けられて始動入賞口への遊技球の入賞を検出する始動入賞スイッチ２６４が接続されている。
【００９５】
一方、出力回路２６０には、液晶表示器３５の表示内容を制御する表示制御回路２６６が接続されており、かかる表示制御回路２６６が液晶表示器３５に接続されている。また出力回路２６０には、主可動役物５８を駆動せしめる電動モータ８８が接続されている。
【００９６】
また、主制御ＲＡＭ２５６には、大当たり判定カウンタ２６８、リーチはずれ判定カウンタ２７０、演出表示タイマカウンタ２７２が設けられている。大当たり判定カウンタ２６８は、大当たりか否かの判定に用いられるカウンタであって、クロック回路２６２から入力されるクロック信号に基づいて「１」ずつ加算され、初期値（例えば、「０」）から最大値（例えば、「２９９」）に加算された後に初期値に戻って加算される。リーチはずれ判定カウンタ２７０は、リーチはずれまたは完全はずれの判定に用いられるカウンタであって、クロック回路２６２から入力されるクロック信号に基づいて「１」ずつ加算され、初期値（例えば、「０」）から最大値（例えば、「９」）に加算された後に初期値に戻って加算される。演出表示タイマカウンタ２７２は、演出表示が開始されてからの経過時間を計測するために用いられるカウンタであって、演出表示が開始された時点から、クロック回路２６２から入力されるクロック信号に基づいて「１」ずつ加算されるものであり、演出表示に要する時間をカウント可能な程度の大きさをもって構成されている。
【００９７】
一方、主制御ＲＯＭ２５４には、大当たりと判定される大当たり判定カウンタ２６８のカウンタ値（例えば、「７」）が記憶された大当たりカウンタ値記憶エリア２７４、リーチはずれと判定されるリーチはずれ判定カウンタ２７０のカウンタ値（例えば、「３」）が記憶されたリーチはずれカウンタ値記憶エリア２７６、表示制御回路２６６において種々の演出表示を開始せしめる演出表示開始信号が複数記憶された演出表示開始信号記憶エリア２７８、電動モータ８８を駆動せしめる時刻に対応するカウンタ値が記憶されたモータ駆動開始時刻記憶エリア２８０、電動モータ８８を停止せしめる時刻に対応するカウンタ値が記憶されたモータ駆動終了時刻記憶エリア２８２、演出表示が終了する時刻に対応するカウンタ値が記憶された演出表示終了時刻記憶エリア２８４が設けられている。なお、一回の演出表示において電動モータ８８を複数回駆動せしめる場合には、モータ駆動開始時刻記憶エリア２８０およびモータ駆動終了時刻記憶エリア２８２には、電動モータ８８を駆動乃至は停止せしめる各タイミングに応じたカウンタ値が複数記憶されている。
【００９８】
このような構造とされた主制御回路２５０に設けられた主制御ＣＰＵ２５２は、所定周期（例えば、４ｍｓ）毎にクロック回路２６２からクロック信号が入力された際には、図１３に示すような処理を行なうことによって、演出表示の内容に応じた所定のタイミングで主可動役物５８を駆動せしめて、副可動役物１５０を現出せしめたり、隠蔽したりすることが出来る。
【００９９】
先ず、主制御ＣＰＵ２５２は、ステップ（以下、Ｓとする）１において、カウンタ更新処理を行なう。かかるカウンタ更新処理は、大当たり判定カウンタ２６８、リーチはずれ判定カウンタ２７０を「１」加算するものである。
【０１００】
続いて、主制御ＣＰＵ２５２は、Ｓ２において、始動入賞スイッチ２６４が始動入賞装置３８への遊技球の入賞を検出したか否かを判定し、始動入賞スイッチ２６４が遊技球の入賞を検出していない場合（Ｓ２：ＮＯ）には、カウンタ値更新処理（Ｓ１）を繰り返し、始動入賞スイッチ２６４が遊技球の入賞を検出するまで待機する。
【０１０１】
始動入賞スイッチ２６４が始動入賞装置３８への遊技球の入賞を検出した場合（Ｓ２：ＹＥＳ）には、主制御ＣＰＵ２５２は、Ｓ３において、大当たりの抽選を行なう。かかる大当たりの抽選は、遊技球が始動入賞装置３８へ入賞した時点での大当たり判定カウンタ２６８の値が、大当たりカウンタ値記憶エリア２７４に記憶された大当たりカウンタ値と等しいか否かを判定し、等しい場合には大当たりと判定する。一方、大当たり判定カウンタ２６８の値が大当たりカウンタ値記憶エリア２７４に記憶された大当たりカウンタ値と等しくない場合には、遊技球が始動入賞装置３８へ入賞した時点でのリーチはずれ判定カウンタ２７０の値がリーチはずれカウンタ値記憶エリア２７６に記憶されたリーチはずれカウンタ値と等しいか否かを判定し、等しい場合にはリーチはずれと判定する一方、等しくない場合には完全はずれと判定する。
【０１０２】
そして、主制御ＣＰＵ２５２は、Ｓ４において、演出表示開始信号記憶エリア２７８に記憶された複数の演出表示開始信号の中から大当たり抽選の判定結果に対応する演出表示開始信号を選択して、かかる演出表示開始信号を表示制御回路２６６に送信する。これにより、表示制御回路２６６は、受信した演出表示開始信号に対応する演出パターンを選択して、選択した演出パターンに基づく演出表示を液晶表示器３５において開始する。そして、主制御ＣＰＵ２５２は、Ｓ５において、演出表示タイマカウンタ２７２に「０」をセットする。
【０１０３】
続いて、主制御ＣＰＵ２５２は、Ｓ６において、演出表示タイマカウンタ２７２を１加算して、Ｓ７において、演出表示タイマカウンタ２７２のカウンタ値がモータ駆動開始時刻記憶エリア２８０に記憶されたモータ駆動開始時刻に対応するカウンタ値と等しくなったか否かを判定する。
【０１０４】
演出表示タイマカウンタ２７２のカウンタ値がモータ駆動開始時刻記憶エリア２８０に記憶されたモータ駆動開始時刻に対応するカウンタ値と等しくない場合（Ｓ７：ＮＯ）には、主制御ＣＰＵ２５２は、Ｓ９以降の処理を実行する一方、演出表示タイマカウンタ２７２のカウンタ値がモータ駆動開始時刻に対応するカウンタ値と等しい場合（Ｓ７：ＹＥＳ）には、主制御ＣＰＵ２５２は、Ｓ８において、電動モータ８８への通電を行なう。これにより、所定のタイミングで主可動役物５８が駆動せしめられて、副可動役物１５０が駆動せしめられることとなる。
【０１０５】
次に、主制御ＣＰＵ２５２は、Ｓ９において、演出表示タイマカウンタ２７２のカウンタ値がモータ駆動終了時刻記憶エリア２８２に記憶されたモータ駆動終了時刻に対応するカウンタ値と等しくなったか否かを判定する。
【０１０６】
演出表示タイマカウンタ２７２のカウンタ値がモータ駆動終了時刻記憶エリア２８２に記憶されたモータ駆動終了時刻に対応するカウンタ値と等しくない場合（Ｓ９：ＮＯ）には、主制御ＣＰＵ２５２は、Ｓ１１以降の処理を実行する一方、演出表示タイマカウンタ２７２のカウンタ値がモータ駆動終了時刻に対応するカウンタ値と等しい場合（Ｓ９：ＹＥＳ）には、主制御ＣＰＵ２５２は、Ｓ１０において、電動モータ８８への通電を停止する。これにより、主可動役物５８および副可動役物１５０の駆動が停止される。
【０１０７】
続いて、主制御ＣＰＵ２５２は、Ｓ１１において、演出表示タイマカウンタ２７２のカウンタ値が演出表示終了時刻記憶エリア２８４に記憶された演出表示終了時刻に対応する値と等しいか否かを判定し、演出表示終了時刻に対応する値と等しくない場合（Ｓ１１：ＮＯ）には、主制御ＣＰＵ２５２は、Ｓ６以降の処理を繰り返す一方、演出表示終了時刻に対応する値と等しくなった場合（Ｓ１１：ＹＥＳ）には、主制御ＣＰＵ２５２は処理を終了する。
【０１０８】
これにより、液晶表示器３５において行なわれる演出表示の内容に応じた所定のタイミングで電動モータ８８を駆動せしめて、副可動部材１５０を隠蔽および現出せしめることが出来る。なお、このような制御を行なう場合には、電動モータ８８としてステッピングモータを用いて、Ｓ９およびＳ１０の電動モータ停止処理を行なうこと無く、Ｓ８における電動モータ８８の駆動開始時に、予め定められたステップ数だけ進角せしめる等しても良い。このようにすれば、例えば梁部材６０を所定量だけ変位せしめた状態で停止せしめることによって、副可動部材１５０を現出せしめた状態や隠蔽せしめた状態を安定して維持することが出来る。
【０１０９】
以上、本発明の幾つかの実施形態について詳述してきたが、これらはあくまでも例示であって、本発明は、かかる実施形態における具体的な記載によって、何等、限定的に解釈されるものではない。
【０１１０】
例えば、一方向解放機構としては、前述の実施形態における係合切欠１３８および係合軸１４２の如き構造に限定されることはなく、係合軸部材１３２を設けることなく、右側柱部材６２に係合切欠１３８の如き切欠を一体的に形成すること等も可能である。更に異なる態様としては、係合軸部材１３２を単なるロッド形状として、かかるロッドの側面に係合軸１４２を当接せしめたり、或いはこれらの態様のように係合軸部材１３２と連動軸部材１４０が完全に離脱する形状に限定されることもなく、係合切欠１３８の部位を長孔形状として、かかる長孔に係合軸１４２を挿通せしめて相対変位可能としたりする等、実質的に主可動部材の駆動力を副可動部材に伝達することのない構造であれば種々の形状が適宜に採用可能である。
【０１１１】
また、図１４に示すように、係合切欠１３８の代わりに、係合軸部材１３２の側方に開口することのない長孔の連結用孔２９０を貫設して係合軸１４２を離脱不可能に連結すると共に、副可動役物１５０の連結用リブ１５４を廃して、連動軸１４８を副可動役物１５０の側面に当接せしめる等して、一方向解放機構を第二係合部としての連動軸１４８側に設けること等も可能である。
【０１１２】
さらに、主可動部材や副可動部材の具体的な形状等は何等限定されるものではなく、前述の第二の実施形態における突出部２４２の代わりに人形等を設けること等も可能である。
【０１１３】
更にまた、前述の実施形態における電動モータ８８、２２６の回転速度は一定とされていたが、電動モータ８８、２２６の回転速度を変化せしめることによって、副可動役物１５０、１８２を速やかに現出せしめた後に、緩やかに隠蔽せしめる等しても良い。
【０１１４】
また、副可動部材１５０，１８２の作動にあわせて、効果音を生ぜしめる等の音による演出や、遊技領域に設けたランプを点灯せしめる等の光による演出を行なうこと等も勿論可能である。
【０１１５】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【０１１６】
【図１】本発明の第一の実施形態としてのパチンコ機を示す正面図である。
【図２】図１に示されたパチンコ機に採用される遊技盤の正面図である。
【図３】図１に示したパチンコ機に採用されるセンター飾りの本体枠の正面図である。
【図４】図３におけるＩＶ−ＩＶ断面である。
【図５】図３に示した本体枠に設けられる駆動機構を示す平面図である。
【図６】図３に示した本体枠に設けられる可動部材の要部拡大図である。
【図７】図６に示した副可動部材が現出せしめられた状態を示す要部拡大図である。
【図８】図６に示した副可動部材が隠蔽せしめられた状態を示す要部拡大図である。
【図９】本発明の第二の実施形態としての本体枠の正面図である。
【図１０】図９に示した本体枠の背面図である。
【図１１】図１０における本体枠を取り除いた状態を示す背面図である。
【図１２】図１に示したパチンコ機に採用されている主制御回路のブロック図である。
【図１３】図１２に示した主制御ＣＰＵが実行する制御処理を示すフローチャートである。
【図１４】本発明における一方向解放機構の異なる態様を示す要部拡大図である。
【符号の説明】
【０１１７】
１０  パチンコ機
５８  主可動役物
６０  梁部材
６２  右側柱部材
６４  左側柱部材
６６  右側取付軸
６８  左側取付軸
７０  右側揺動軸
７２  左側揺動軸
８４  クランク機構
８８  電動モータ
９０  揺動ロッド
１３２  係合軸部材
１４０  連動軸部材
１５０  副可動役物
１６６  コイルスプリング
【図１】
2006334018.tif 000003
【図２】
2006334018.tif 000004
【図３】
2006334018.tif 000005
【図４】
2006334018.tif 000006
【図５】
2006334018.tif 000007
【図６】
2006334018.tif 000008
【図７】
2006334018.tif 000009
【図８】
2006334018.tif 000010
【図９】
2006334018.tif 000011
【図１０】
2006334018.tif 000012
【図１１】
2006334018.tif 000013
【図１２】
2006334018.tif 000014
【図１３】
2006334018.tif 000015
【図１４】
2006334018.tif 000016